(57)【特許請求の範囲】
【請求項１】
シート材料を主体とする包装袋に複数の収納物品を包み込んで形成される包装体であって、
前記包装袋は、前記複数の収納物品の周囲を覆う正面部、背面部、一対の側面部、上面部及び底面部を有し、
前記上面部は、前記一対の側面部から左右方向にそれぞれ延設した一対の延設耳部、及び一方の該延設耳部から他方の該延設耳部に亘って該上面部の前後方向中央部分を左右方向に横断する頂部を有し、
前記頂部には、ベルト部が、その両端部を一対の前記延設耳部にベルト接合部により接合させて、該上面部における該延設耳部以外の領域を跨いで設けられており、
前記頂部には、前記包装袋を開封するための開封易切断手段が、少なくともその前記ベルト接合部寄りの端部を該ベルト接合部の下端よりも高い位置に位置させて設けられている包装体。
【請求項２】
前記ベルト部は、前記頂部を垂直に起立させた状態において、平面視で前記開封易切断手段から前後方向にずれた位置に位置している請求項１記載の包装体。
【請求項３】
前記開封易切断手段は、少なくとも前記ベルト接合部寄りの端部が該ベルト接合部の上端よりも高い位置に位置している請求項１又は２に記載の包装体。
【請求項４】
前記頂部は、重ねられた前記シート材料から形成されており、前記ベルト接合部は、一方の該シート材料のみに設けられている請求項１〜３の何れかに記載の包装体。
【請求項５】
前記頂部には、それを補強する補強手段が、該頂部の上縁と前記開封易切断手段との間に設けられている請求項１〜４の何れかに記載の包装体。
【請求項６】
前記頂部は、重ねられた前記シート材料から形成されており、前記開封易切断手段は、一方の該シート材料のみを切断するように設けられている請求項１〜５の何れかに記載の包装体。
【請求項７】
前記頂部は、前記上面部における該頂部以外の領域に当接させるように倒された状態で該領域に仮接合されており、倒された該頂部における前記延設耳部は、前記側面部に当接させるように倒された状態で該側面部に仮接合されている請求項１〜６の何れかに記載の包装体。
【発明の詳細な説明】
【技術分野】
【０００１】
本発明は、シート材料を主体とする包装袋に複数の収納物品を包み込んで形成される包装体に関する。
【背景技術】
【０００２】
使い捨ておむつ、生理用ナプキン等の吸収性物品や、ロール状のトイレットペーパー等を複数積み重ねて略直方体形状に集積し、これをフィルム材料等のシート材料からなる包装袋に圧縮した状態で収納した包装体が知られている（例えば、下記特許文献１，２参照）。
【０００３】
特許文献１，２記載の包装体では、フィルム材料からなる包装袋は、正面部、背面部、左右一対の側面部、上面部及び底面部を有し、略直方体形状に集積された収納物品の周囲を包み込んで形成されている。また、前記上面部は、一対の側面部から左右方向にそれぞれ延設した一対の三角形状の延設耳部を有している。更に、ベルト部が、一対の延設耳部間に亘って上面部における延設耳部以外の領域を跨いで設けられている。
【特許文献１】特開２００５−５９９０１号公報
【特許文献２】特開２００３−１８２７４７号公報
【発明の開示】
【発明が解決しようとする課題】
【０００４】
包装体においては、包装袋の内部から収納物品を取り出すために、包装袋にそれを容易に開封するための開封易切断手段が通常設けられている。開封易切断手段は一般的にはミシン目である。特許文献１には、包装袋の開封易切断手段については記載されていないが、開封易切断手段が設けられる位置は、一般的に、特許文献２に記載のように、包装袋の側面部の位置である。
【０００５】
しかし、特許文献１または特許文献２に記載の包装体においては、平面視でベルト部が上面部の前後方向中央部分を前後方向に跨ぐように設けられている。また、一般的な包装体においては、開封易切断手段を切断して形成される開口部を、ベルト部と重なる位置である上面部に設けることが望まれている。
【０００６】
従って、本発明の目的は、包装袋に複数の収納物品を包み込んで形成される包装体で、包装袋の上面部の開口部から収納物品を取り出しやすい包装体を提供することにある。
【課題を解決するための手段】
【０００７】
本発明は、シート材料を主体とする包装袋に複数の収納物品を包み込んで形成される包装体であって、前記包装袋は、前記複数の収納物品の周囲を覆う正面部、背面部、一対の側面部、上面部及び底面部を有し、前記上面部は、前記一対の側面部から左右方向にそれぞれ延設した一対の延設耳部、及び一方の該延設耳部から他方の該延設耳部に亘って該上面部の前後方向中央部分を左右方向に横断する頂部を有し、前記頂部には、ベルト部が、その両端部を一対の前記延設耳部にベルト接合部により接合させて、該上面部における該延設耳部以外の領域を跨いで設けられており、前記頂部には、前記包装袋を開封するための開封易切断手段が、少なくともその前記ベルト接合部寄りの端部を該ベルト接合部の下端よりも高い位置に位置させて設けられている包装体を提供することにより、上記目的を達成したものである。
【発明の効果】
【０００８】
本発明の包装体によれば、包装袋の上面部の開口部から収納物品を取り出しやすい。
【発明を実施するための最良の形態】
【０００９】
以下に、本発明の包装体の好ましい一実施形態（第１実施形態）について図面を参照しながら説明する。図１及び図２には、第１実施形態の包装体が示されている。第１実施形態の包装体１は、包装袋１１に複数の収納物品１０（図３、図４参照）を包み込んで形成される包装体である。
【００１０】
包装袋１１は、複数の収納物品１０の周囲を覆う正面部１２、背面部１３、一対の側面部１４，１４、上面部１５及び底面部１６を有している。
尚、本発明においては、特に明記のない限り、「前後方向」とは正面部１２と背面部１３とを結ぶ方向を意味し、「左右方向」とは一対の側面図１４，１４同士を結ぶ方向を意味し、「上下方向」とは上面部１５と底面部１６とを結ぶ方向を意味する。
【００１１】
第１実施形態における複数の収納物品１０は、例えば扁平な形状に折り畳まれた複数の使い捨ておむつである。複数の使い捨ておむつは、包装袋１１の左右方向に積層されて物品群とされていると共に、この物品群を上下方向に複数段に積み重ねて全体が略直方体形状となるように集積されている。
【００１２】
第１実施形態の包装体１は、集積した使い捨ておむつを、包装袋１１の左右方向（使い捨ておむつの厚み方向）に圧縮しつつ、略直方体形状の全体を覆うようにして包装袋１１の内部に収納することにより製品化されるものである。つまり、複数の収納物品は、圧縮された状態で略直方体形状に集積されて包装袋１１に収納されている。集積した使い捨ておむつは、例えば０．５〜５ｋｇ程度の相当の重量を有している。第１実施形態の包装体１は、このように効率良く集積された多数の使い捨ておむつが相当の重量を有している場合でも、これらを一体として容易かつ安定した状態で持ち運ぶことができるようにするために採用されたものである。
【００１３】
包装袋１１は、シート材料を主体として形成されている。包装袋１１を形成するシート材料としては、例えば合成樹脂製のフィルム材料、合成樹脂あるいは天然繊維の不織布または織布、アルミ箔、紙などが挙げられる。シート材料は、単層構造でも積層構造でもよい。積層構造の場合は、シール性、防水性などの観点から、最内層に合成樹脂製のフィルム材料が積層されていることが好ましい。第１実施形態においては、シート材料として、軟質のポリエチレンフィルムが用いられている。
【００１４】
第１実施形態における包装袋１１は、フィルム材料から略直方体状の袋状に形成されている。詳述すると、略直方体状の袋状のフィルム材料における前面部分の中央領域が正面部１２となり、後面部分の中央領域が背面部１３となり、左右面部分の中央領域が一対の側面部１４，１４となる。また、フィルム材料における上面部分が上面部１５となり、下面部分が底面部１６となる。
【００１５】
上面部１５は、一対の側面部１４，１４から左右方向にそれぞれ延設した一対の延設耳部３０，３０を有している。尚、上面部１５における延設耳部３０以外の領域を「上面部中央領域１５ａ」という。
延設耳部３０は、上面部１５の上面部中央領域１５ａから左右方向に延在するシート材料と側面部１４から上方に延在するシート材料とが重なって形成されている。延設耳部３０における上面部平面領域１５ｂ（後述）は、平面視で二等辺三角形状となっている。
【００１６】
上面部１５は、一方の延設耳部３０から他方の延設耳部３０に亘って上面部１５の前後方向中央部分を左右方向に横断する頂部１７を有している。頂部１７の形状は、その摘みやすさを考慮すると、幅が１０〜２００ｍｍ、好ましくは幅が５０〜１７０ｍｍの帯状である。尚、上面部１５における頂部１７以外の領域を「上面部平面領域１５ｂ」という。
帯状の頂部１７は、図１に示すように、上面部平面領域１５ｂから起立させることができ、図５に示すように、上面部平面領域１５ｂに当接させるように倒すことができる（詳細は後述）。
【００１７】
頂部１７には、ベルト部１８が、その両端部を一対の延設耳部３０にベルト接合部２０により接合させて、頂部１７に沿って、上面部１５における延設耳部３０以外の領域（上面部中央領域）１５ａを跨いで設けられている。
第１実施形態においては、ベルト部１８は、頂部１７の正面側に設けられているが、頂部１７の背面側及び上面部平面領域１５ｂには設けられていない。また、ベルト部１８は、頂部１７を垂直に起立させた状態において、平面視で開封易切断手段３１（詳細は後述）から前後方向にずれた位置に位置している。
【００１８】
ベルト部１８は、好ましくは、包装袋１１と同様の軟質のポリエチレンフィルムの帯状のフィルム材料からなる。ベルト部１８は、包装袋１１とは異なる色や、光沢に形成することで、視認性に優れたものとすることが好ましい。また、ベルト部１８の表裏面で異なるエンボス処理や印刷をしたり、又は片面のみにエンボス処理や印刷をすることで、視認性に優れたものとすることもできると共に、ベルト部１８をつかみやすくさせることができる。また、ベルト部１８は、好ましくは１０〜１００ｍｍの幅を有しているので、片手で持上げても包装体１が上述した重量であっても手に優しい。ベルト部１８は、一対のベルト接合部２０，２０の間が上面部１５に接合されていないため、上面部１５から離間でき、把手部を形成することができる（詳細は後述）。ベルト部１８はひも状であってもよい。
【００１９】
ベルト接合部２０は、直角二等辺三角形状で、その直角をベルト部１８の上外隅に位置させた斜めシールとして設けられている。ベルト接合部２０が斜めシールとして設けられていることにより、応力の集中を回避でき、安定したベルト強度が得られる。
ベルト接合部２０は、重ねられたシート材料から形成された頂部１７における一方の該シート材料のみに設けられていると、複数の収納物品１０が収納された包装袋１１から収納物品１０を端からも取り出し易いので好ましい。
【００２０】
頂部１７には、包装袋１１を開封するための開封易切断手段３１が、少なくともそのベルト接合部２０寄りの端部をベルト接合部２０の下端よりも高い位置に位置させて設けられている。
開封易切断手段３１は、頂部１７の一部を容易に切断できる構造とすることで、頂部１７を開封易切断手段３１において切断し、包装袋１１に収納されている収納物品１０を取り出すための開口部２２（図７参照）を形成できるようになっている。
【００２１】
開封易切断手段３１は、少なくともベルト接合部２０寄りの端部がベルト接合部２０の上端よりも高い位置に位置していることが好ましく、その全体がベルト部１８よりも高い位置に位置していることが更に好ましい。第１実施形態における開封易切断手段３１は、左右方向全域に亘るミシン目から構成されており、その全体が頂部１７におけるベルト部１８よりも高い位置に設けられている。
開封易切断手段３１は、別の見方とすると、延設耳部３０の頂部１７における左右方向端部に少なくとも設けられている。
帯状の頂部１７の上端と開封易切断手段３１との間隔は、適宜設定されるが、開封易切断手段３１を切断する際に頂部１７を容易に摘めるように、好ましくは７〜１００ｍｍ、更に好ましくは１０〜５０ｍｍである。
【００２２】
頂部１７における開封易切断手段３１よりも上方の領域には、左右方向全域に亘る頂部シール部１９が設けられている。このような頂部シール部１９は、筒状のシート材料から包装袋１１を形成する際に筒状のシート材料を封止して頂部１７を形成するために設けられる。
この頂部シール部１９は、包装袋１１を開封する際に、頂部１７を摘みやすく、頂部１７の剛性を高めているので、開封性を向上させている。それにより、小さな力で開封でき、ミシン目などの開封易切断手段３１に沿って切断できる開封方向性が向上する。
更に、頂部シール部１９を開封易切断手段３１の近傍に形成することで、頂部１７を形成する２枚のシート材料を同時に切断できる開封方向性がより向上する。このような構成は、開封方向性のないシート材料、例えば未延伸な柔軟なフィルム材料から頂部１７が構成される包装袋１１の場合には、特に好ましく用いることができる。
【００２３】
頂部１７には、それを補強する補強手段（図示せず）が、頂部１７の上縁と開封易切断手段３１との間に設けられている。補強手段としては、例えば、合成樹脂あるいは天然繊維の不織布および織布、アルミ箔、紙などの単体又は積層構造が挙げられる。
【００２４】
下面部１６は、従来の包装体と同様に、例えば正面部１２、背面部１３及び一対の側面部１４、１４から下方に延設した領域を下面側に折り曲げて形成されている。この下面部１６には、中央部分を横断して、正面部１２からの延設部分の下端縁部と、背面部１３からの延設部分の下端縁部とを対向させて接合した下面接合部（図８参照）が形成されている。
また、側面部１４からの延設部分は、これの下端縁部を谷折りして前記下面接合部の内側に挟み込んだ状態で接合される共に、接合された下端縁部よりも上方の部分が、まち部として正面部１２及び背面部１３の延設部分の上側に折り込まれている。
【００２５】
包装袋１１は、シート材料を所定箇所でシール接合することにより、例えば正面の幅が２０〜５０ｃｍ、側面の幅が１０〜２０ｃｍ、高さが１０〜５０ｃｍ程度の大きさの略直方体形状に集積された複数の使い捨ておむつの周囲を、一体として包み込む大きさとなる。
【００２６】
第１実施形態の包装袋１１は、例えば図３に示す製造方法で製造される。図３（ａ）に示すように、まず長尺筒状の包装袋１１の素材Ｓ１１をその長手方向に搬送させる。次に、図３（ｂ）に示すように、素材Ｓ１１における頂部１７となる領域に対し、頂部シール部１９及び開封易切断手段３１（ミシン目）を形成すると共に、長尺状のベルト部１８の素材Ｓ１８から切り出したベルト部１８をホットメルトなどの接着剤を用いてベルト接合部２０によって接合する。
【００２７】
ベルト部１８は、図３（ｂ）に示すように、その長さ（包装袋１１の左右方向に沿う長さ）と同じ幅を有する長尺状の素材Ｓ１８をその長手方向に所定長さ〔ベルト部１８の幅（包装袋１１の上下方向に沿う幅）〕で切断して得ることができる。また、ベルト部１８は、その幅（包装袋１１の上下方向に沿う幅）と同じ幅を有する長尺状の素材（図示せず）をその長手方向に所定長さ〔ベルト部１８の長さ（包装袋１１の左右方向に沿う長さ）〕で切断して得ることもできる。
尚、開封易切断手段３１の形成は、ベルト部１８の接合前又は接合後でもよい。
【００２８】
次いで、図３（ｃ）に示すように、長尺筒状の包装袋１１の素材Ｓ１１における所定位置（頂部シール部１９近傍）を左右方向に切断して、素材Ｓ１１を、短尺筒状で、頂部１７側が頂部シール部１９により封止されている形態に加工する。この形態の素材Ｓ１１における底面部１６側を大きく開口させて、図３（ｄ）に示すように、底面部１６側の開口部から、集積された収納物品１０を導入する。然る後、素材Ｓ１１の底面部１６側の開口部を封止し、所定の底面部１６の形状を形成する（図示せず）。そして、上面部１５の上面部中央領域１５ａから左右方向に延在するシート材料と側面部１４から上方に延在するシート材料とから延設耳部３０を形成し、包装体１を完成させる。
【００２９】
また、包装袋１１は、例えば図４に示す別の製造方法で製造することもできる。図４（ａ）に示すように、まず長尺帯状の包装袋１１の素材Ｓ１１をその長手方向に搬送させると共に、その短手方向に２つ折りする。２つ折りの折り目は包装袋１１の頂部１７側、即ちベルト部１８が設けられる側に位置する。
次に、図４（ｂ）に示すように、素材Ｓ１１における頂部１７となる領域に対し、頂部シール部１９及び開封易切断手段３１（ミシン目）を形成すると共に、長尺状のベルト部１８の素材Ｓ１８から切り出したベルト部１８をホットメルトなどの接着剤、ヒートシールや超音波シールを用いてベルト接合部２０によって接合する。ヒートシールや超音波シールを用いてベルト接合部２０を接合する場合は、頂部１７の正面側と背面側の２枚のシート材料を貫かないように、正面側と背面側の２枚のシート材料の間にガイド板（図示しない）を介在させた状態で接合させることが好ましい。
【００３０】
ベルト部１８は、図４（ｂ）に示すように、その幅（包装袋１１の上下方向に沿う幅）と同じ幅を有する長尺状の素材Ｓ１８をその長手方向に所定長さ〔ベルト部１８の長さ（包装袋１１の左右方向に沿う長さ）〕で切断して得ることができる。また、ベルト部１８は、その長さ（包装袋１１の左右方向に沿う長さ）と同じ幅を有する長尺状の素材（図示せず）をその長手方向に所定長さ〔ベルト部１８の幅（包装袋１１の上下方向に沿う幅）〕で切断して得ることもできる。
【００３１】
次いで、図４（ｃ）に示すように、２つ折りされた長尺状の素材Ｓ１１における所定位置を幅方向に沿って切断すると共に、その切断線に沿ってシール部を形成して、素材Ｓ１１を、短尺筒状で、頂部１７側が封止されている形態に加工する。尚、前記切断線に沿ったシール部は、側面部１４の前後方向中央部分に上下方向に沿って配置することになる。
更に、図４（ｄ）に示すように、この形態の素材Ｓ１１における底面部１６側を大きく開口させて、図４（ｅ）に示すように、底面部１６側の開口部から、集積された収納物品１０を導入する。然る後、素材Ｓ１１の底面部１６側の開口部を封止し、所定の底面部１６の形状を形成する（図示せず）。そして、上面部１５の上面部中央領域１５ａから左右方向に延在するシート材料と側面部１４から上方に延在するシート材料とから延設耳部３０を形成し、包装体１を完成させる。
【００３２】
尚、筒状の形態の素材Ｓ１１は、長尺帯状の素材Ｓ１１をその幅方向に沿って２つ折りすることにより形成することができ、また、２枚の長尺帯状の素材Ｓ１１を重ね合わせ、それらの両側縁部を接合することにより形成することもできる。
【００３３】
第１実施形態の包装体１においては、頂部１７は、図１に示す上面部１５の上面部平面領域１５ｂから立設した状態から、図５に示すように、上面部平面領域１５ｂに当接させるように倒された状態で上面部平面領域１５ｂに仮接合させることができ、更に、倒された頂部１７における延設耳部３０を、側面部１４に当接させるように倒された状態で側面部１４に仮接合させることができる。仮接合には、例えば接着剤や簡易なシール接合が用いられる。
【００３４】
第１実施形態の包装体１は、このような形態で仮接合することにより、梱包、運搬、陳列等に適した略直方体形状にまとめられた状態で製品化される。頂部１７は、図５に示すように、ベルト部１８が外側になるように上面部平面領域１５ｂ側に倒した状態で仮接合することができる。このような仮接合形態は、陳列時にベルト部１８を包装袋１１に載せ、垂れ下がり難くすることで、包装体１の見映えを良くすることができると共に、ベルト部１８を掴み易くさせることができる観点で好ましい。反対に、頂部１７は、ベルト部１８が内側になるように上面部平面領域１５ｂ側に倒した状態で仮接合することができる（図示せず）。梱包、運搬、陳列等を考慮すると、ベルト部１８が露出しないように、ベルト部１８を内側にして倒した状態で仮接合することが好ましい。
【００３５】
第１実施形態の包装体１においては、上面部１５は、一対の側面部１４から左右方向にそれぞれ延設した一対の延設耳部３０，３０、及び一方の延設耳部３０から他方の延設耳部３０に亘って上面部１５の前後方向中央部分を左右方向に横断する頂部１７を有し、頂部１７には、ベルト部１８が、その両端部を一対の延設耳部３０にベルト接合部２０により接合させて、上面部１５における延設耳部３０以外の領域（上面部中央領域）１５ａを跨いで設けられている。
【００３６】
そのため、第１実施形態の包装体１によれば、例えば図５に示す製品化された状態から、消費者が延設耳部３０の仮接合を解除し、ベルト部１８における一対のベルト接合部２０，２０の間の領域を、頂部１７から剥離して上方に引き上げれば、図６に示すように、ベルト部１８及び一対の延設耳部３０，３０によって、大きな環状の把手部が形成されることになる。そして、この把手部を手で持ったり腕や肩に掛けたりしながら、包装体１を安定した状態で容易に持ち歩くことが可能になる。
【００３７】
また、頂部１７には、包装袋１１を開封するための開封易切断手段３１が、少なくともそのベルト接合部２０寄りの端部をベルト接合部２０の下端よりも高い位置に位置させて設けられているため、図７に示すように、開封易切断手段３１を切断起点として、包装袋１１の上面部１５に、ベルト部１８が邪魔にならない形状で大きな開口部２２を容易に形成でき、包装袋１１を容易に開封することができる。
【００３８】
包装袋１１から全ての収納物品１０を取り出した後においても、包装袋１１は、上面部１５に開口部２２が形成された袋状を維持しているので、使用後の包装袋１１を例えばゴミ袋として有効活用することができる。
また、使用後の包装袋１１を廃棄する場合には、図８に示すように、包装袋１１全体を平たい形状にし、嵩張らない形態で廃棄することができる。
【００３９】
ベルト接合部２０は、重ねられたシート材料から形成された頂部１７における一方の該シート材料のみに設けられているため、開封易切断手段３１を切断して開口部２２を形成すると、開口部２２をベルト接合部２０が存する位置を含めて開くことができる。
【００４０】
また、開封易切断手段３１が少なくともベルト接合部２０寄りの端部がベルト接合部２０の上端よりも高い位置に位置しているため、包装袋１１の重みで開封易切断手段３１が意図せず切断され、上面部１５に意図せず開口部２２が形成されることを防止できる。
特に、開封易切断手段３１の全体がベルト部１８よりも高い位置に位置しているため、開封易切断手段３１に沿って上面部１５に開口部２２を形成すると、ベルト部１８と重ならない位置に開口部２２が形成されることになり、収納物品１０の取り出し性に優れている。
【００４１】
開封易切断手段３１の端部が頂部１７の端部に位置しているため、開封易切断手段３１の端部を視認しやすい。また、開封後、包装袋１１の内部の収納物品１０の確認も容易である。
開封易切断手段３１の両端部が頂部１７の両端部に位置しているため、開封易切断手段３１を左右どちらからも開封できる。また、大きな開口部２２を形成することができ、複数枚の収納物品１０を同時に取り出すことも容易である。
尚、２段の収納物品１０のうち上段のものが取り出された後においては、下段の収納物品１０の上面に沿って包装袋１１を折り返すことができる。そのような形態にしてもベルト部１８は邪魔になりにくい。
【００４２】
頂部１７に開封易切断手段３１が設けられているため、上面部平面領域１５ｂを押さえながら少ない力で容易に開封することができる。頂部１７を上面部１５の上面部平面領域１５ｂ側に倒せば、開口部２２からの埃等の侵入を簡便に防止できる。
開封易切断手段３１は、その全体を切断して完全開封してもよく、又は部分的に切断して部分開封をしてもよい。
【００４３】
また、ベルト部１８は、帯状に形成されて相当の幅を有しているので、手、腕、肩等に面状に接触した状態で包装体１を吊り下げることになる。そのため、大きな接触面積で手、腕、肩等に接触させて包装体１の重量を支持させつつ、更に安定した状態で包装体１を持ち歩くことが可能になる。
開封後の包装体１は、頂部１７を上面部１５の上面部平面領域１５ｂ側に倒し、開口部２２が塞がれた状態においては、ベルト部１８を持ち上げるだけで、開口部２２を簡易に開くことができる。
【００４４】
次に、本発明における包装袋１１の各種変形例については説明する。各種変形例については、上述した第１実施形態と異なる点を主として説明し、同様の点は同一の符号を付して説明を省略する。特に説明しない点は、第１実施形態についての説明が適宜適用される。
【００４５】
頂部１７は、図９に示すように、正面視で、左右方向両側部側が高く、中央部側が凹んだ凹形状とすることができる。頂部１７がこのような形状を有していると、頂部１７における摘む領域をはっきりと視認できる。
【００４６】
開封易切断手段３１は、それを切断して上面部１５に開口部２２を形成した後においても頂部１７が上面部１５から分離せず、ゴミが発生しないように構成することができる。
例えば、図１０（ａ）に示すように、開封易切断手段３１の一方の端部は、頂部１７の左右方向端部に位置しているが、開封易切断手段３１の他方の端部は、頂部１７の左右方向端部には位置しておらず、左右方向に若干後退した位置に配置していてもよい。
また、図１０（ｂ）に示すように、開封易切断手段３１の両方の端部は、頂部１７の左右方向端部には位置しておらず、左右方向に若干後退した位置に配置していてもよい。
図１０（ａ）及び図１０（ｂ）に示す開封易切断手段３１では、その全体を切断したとしても、頂部１７は上面部１５から分離しないので、ゴミが発生しない。
【００４７】
開封易切断手段３１は、開口部２２の位置や大きさが規制されるように設けることができる。
例えば、図１１（ａ）に示すように、開封易切断手段３１は、第１実施形態における開封易切断手段３１に比して、更にその中央位置において頂部１７の上縁まで設けられた形状（Ｔ字を上下逆にした形状）とすることができる。
また、図１１（ｂ）に示すように、開封易切断手段３１は、第１実施形態における開封易切断手段３１に比して、その中央部において連続しておらず、２分された形状とすることができる。
また、図１１（ｃ）に示すように、開封易切断手段３１は、図１１（ｂ）に示す形態における開封易切断手段３１に比して、２分された開封易切断手段３１における中央部側の端部が上方に向けて屈曲した形状とすることができる。
図１１（ａ）〜図１１（ｃ）に示す開封易切断手段３１によれば、上面部１５の左右方向の幅の略半分の幅を有する開口部を容易に形成することができる。
【００４８】
開封易切断手段３１は、その一部をベルト部１８の上端又はベルト接合部２０の上端よりも下側に位置させて設けることができる。
例えば、図１２（ａ）に示すように、開封易切断手段３１の両端部は、ベルト部１８のベルト接合部２０よりも上方に位置しているが、開封易切断手段３１の中央部は、正面視でベルト部１８と重なる位置に設けることができる。
また、図１２（ｂ）に示すように、開封易切断手段３１は、図１２（ａ）に示す開封易切断手段３１に比して、その中央部が頂部１７よりも更に下方に位置し、上面部平面領域１５ｂに亘って設けられている。
また、図１２（ｃ）に示すように、開封易切断手段３１は、図１２（ｂ）に示す開封易切断手段３１に比して、その中央部が上面部平面領域１５ｂよりも更に下方に位置し、正面部１２に亘って設けられている。
【００４９】
また、図１３に示すように、開封易切断手段３１のベルト接合部２０寄りの端部は、ベルト接合部２０の下端より高く且つベルト接合部２０の上端よりも低い位置に位置させることができる。
【００５０】
開封易切断手段３１はミシン目に制限されない。ミシン目以外の開封易切断手段３１としては、例えば、頂部１７をいわゆる一軸延伸フィルムを主体として形成し、頂部１７の左右方向端部にノッチ（切れ込み）や無数の微孔等の切断の起点を設けた構成が挙げられる。
また、頂部１７の内側に細帯状のテープを配設しておき、該テープを引っ張ることにより頂部１７が引き裂かれるようにすることで、開封易切断手段を構成することができる。
また、頂部１７に予め開口部２２を形成しておき、この開口部２２を帯状の粘着テープで封止することで、開封易切断手段を構成することができる。
【００５１】
開封易切断手段３１には、それが意図せず切断されたり、いたずらにより切断されることを防止するための工夫を施すことが好ましい。
例えば、開封易切断手段３１が未開封であることを示すために、開封易切断手段３１には、例えば、バージンシール（一旦開封すると文字や模様などが示されるシール。例えばセキュリティーシール、改ざん防止シール）、封印シール（単に開口部を跨ぐように止めてあるシール）、脆質シール（開封時にシール基材が壊れるシール）、バージン表示を設けることができる。
【００５２】
また、ミシン目は、重ねられたシート材料から形成された頂部１７における一方のシート材料のみに設けることができる。このようにミシン目を設けることで、ミシン目が隠れるように頂部１７を上面部平面領域１５ｂ側に倒し、仮接合することで開封易切断手段３１が切断されることを防止できる。また、ミシン目を指で裂いて開口部２２を形成しても、包装袋１１から分離する材料がなく、ゴミが発生しないという利点もある。
反対に、一旦開封された開封易切断手段３１を再封する手段を設けてもよい。再封する手段としては、例えば、タックシール、針金が挙げられる。
【００５３】
次にベルト接合部２０の形状の変形例について説明する。ベルト接合部２０の形状は、ベルト部１８と頂部１７との接合強度や、見栄えに大きく関係するため、工夫することが望まれる。また、ベルト部１８の長手方向端部は、自由端となっていると使用者に接触し、使用者の肌を傷付ける虞があるので、ベルト接合部２０は、ベルト部１８の長手方向端部に自由端が形成されないように設けることが好ましい。
ベルト接合部２０は、シールから形成されることが一般的であるが、金属製又は合成樹脂製の可動ピン又は固定ピンから形成することも可能である（図示せず）。
【００５４】
ベルト接合部２０の具体的な形状としては、例えば、図１４（ａ）に示す中抜きの直角二等辺三角形状（その直角がベルト部１８の上外隅に配置し、斜辺がベルト部１８の長手方向内側に向けて傾斜）、図１４（ｂ）に示す中実（中抜きされていない）の円形状、図１４（ｃ）に示す中抜きの円形状、図１４（ｄ）に示す中実でベルト部１８の長手方向（包装袋１１の左右方向）内側に向けて傾斜した楕円形状、図１４（ｅ）に示す中抜きでベルト部１８の長手方向内側に向けて傾斜した楕円形状が挙げられる。
また、図１４（ａ）に示すベルト接合部２０の形状は、中実の直角三角形（斜辺がベルト部１８の長手方向内側に向けて傾斜）（図示しない）でもよい。
【００５５】
また、ベルト接合部２０の形状は、図１５（ａ）に示すように、ベルト部１８の幅方向（包装袋１１の上下方向）に延びる直線状、図１５（ｂ）に示すように、ベルト部１８の下隅部からベルト部１８の長手方向内側に向けて傾斜した（換言すると、下外向きに傾斜した）直線状が挙げられる。
【００５６】
図１４及び図１５に示すベルト接合部２０の形状は適宜組み合わせることができる。
ベルト接合部２０は、図１４（ａ）、図１４（ｄ）、図１４（ｅ）、図１５（ｂ）に示すようにベルト部１８の長手方向内側に向けて傾斜する形状を備えることが、ベルト接合部２０の強度アップや、ベルト部１８の持ち易さ、包装体１の搬送性（例えば、図５に示す状態のベルト部１８の中央の把持部分を、図６に示すように、下から反転させる（折り返す）だけで包装体１の前後方向の中央寄りにベルト部１８を近づけることができ、包装袋１１が傾き難く、搬送し易い。また、ベルト部１８と地面とが水平になり、搬送し易い）などの観点から好ましい。具体的な組み合わせとしては、例えば、図１５（ａ）に示すベルト接合部２０の形状と図１５（ｂ）に示すベルト接合部２０の形状との組み合わせ、図１４（ｄ）に示すベルト接合部２０の形状と図１５（ａ）に示すベルト接合部２０の形状との組み合わせが挙げられる。
【００５７】
ベルト接合部２０の形状と関連させて開封易切断手段３１の端部の形状を工夫することができる。例えば、図１６（ａ）に示すように、上外隅が欠けた形状のベルト接合部２０が設けられている場合には、ベルト接合部２０の上外隅の下外向きの傾斜形状に沿わせて、開封易切断手段３１の両端部を下外向きに傾斜させて設けることができる。
また、図１５（ｂ）に示す下外向きに傾斜した直線状のベルト接合部２０が設けられている場合には、ベルト接合部２０よりも左右方向外方のベルト部１８をなくすと共に、ベルト接合部２０の下外向きの傾斜形状に沿わせて、開封易切断手段３１の両端部を下外向きに傾斜させて設けることができる。
【００５８】
ベルト接合部２０は、延設耳部３０における左右方向頂点に存するように設けられていることが好ましいが、該左右方向頂点を避けて設けてもよい。
ベルト接合部２０は、図４に示す製造方法のようにいわゆる横流しで製造する場合には、包装袋１１の側面部１４のシールと同時に形成することが簡便である。
【００５９】
開封易切断手段３１としてのミシン目は、それよりも下方のシート材料に前後方向に引き離す方向の力が加わることによって、意図せず切断されてしまうことがある。このような現象を防止するために、上面部１５においてミシン目３１よりも下方の位置に補強用のシール部２１を更に設けることが好ましい。
【００６０】
具体的には、図１７（ａ）に示すように、第１実施形態に比して、一対の延設耳部３０における頂部１７と上面部平面領域１５ｂとの境界近傍に、それぞれ連続直線状の補強用のシール部２１，２１を更に設けることができる。
また、図１７（ｂ）に示すように、第１実施形態に比して、上面部１５における頂部１７と上面部平面領域１５ｂとの境界近傍に、点シールが非連続直線状に配列した補強用のシール部２１を更に設けることができる。点シールが配列した補強用のシール部２１が設けられていると、見栄えも向上する。
【００６１】
ベルト接合部２０は、頂部１７における正面側から背面側に貫くように設けることで、包装体１を持ち運びする強度を向上させることができる。その場合、図１８（ａ）に示すように、ベルト部１８の素材を頂部１７の左右方向両端部よりも延出させた長さとし、図１８（ｂ）に示すように、ベルト部１８における頂部１７の左右方向両端部よりも延出した領域を背面側に折り返し、ベルト接合部２０を、正面側のベルト部１８から背面側のベルト部１８を貫くように設けることができる。このようにベルト接合部２０を設けることで、ベルト部１８と頂部１７との接合強度が一層向上する。
【００６２】
それに加えて、ベルト接合部２０近傍の開封易切断手段３１（ミシン目）の切断開始位置において、ミシン目の切断しやすさ、切断方向安定性を向上できると共に、ベルト接合部２０近傍の開封易切断手段３１（ミシン目）の切断終了位置において、切断方向安定性を向上できる。また、ミシン目を切断して開封した際におけるベルト接合部２０の破損も防止できる。
【００６３】
図１９に示すように、頂部１７のベルト部１８が設けられていない側におけるベルト接合部２０と対応する位置には、裏打ちシート２３を接合して設けることができる。このように裏打ちシート２３を設けることで、ベルト接合部２０によるベルト部１８の接合強度を向上できる。それに加えて、ベルト接合部２０近傍の開封易切断手段３１（ミシン目）の切断開始位置において、ミシン目の切断しやすさ、切断方向安定性を向上できると共に、ベルト接合部２０近傍の開封易切断手段３１（ミシン目）の切断終了位置において、切断方向安定性を向上できる。また、ミシン目を切断して開封した際におけるベルト接合部２０の破損も防止できる。
【００６４】
ベルト部１８又は頂部１７及び上面部平面領域１５ｂにそれぞれ一対のメカニカルファスナー（図示せず）を設けることができる。このような構成によれば、一対のメカニカルファスナーを止着することで、頂部１７を倒した状態を簡便に維持することができる。
【００６５】
ベルト部１８の有効長さ（一対のベルト接合部２０，２０間の長さ）は、図２０に示すように、一対のベルト接合部２０，２０間の頂部１７の表面に沿う長さよりも大幅に長くすることもできる。その場合、梱包時などベルト部１８を使用しないときには、ベルト部１８はその長さが余ることになるが、ベルト部１８を例えばＺ折りした状態で仮接合することにより、取り扱い性を良好にすることができる。
【００６６】
ベルト部１８は、持ち運びの安定性や収納物品の取り出し易さの観点から、頂部１７における正面側及び背面側の両側にそれぞれ（計２本）設けることができる（図示せず）。また、ベルト部１８は、長手方向の中央部分のみ幅を小さくすることで、ベルト接合部２０の強度を確保しつつ、且つ掴み易くさせることができる。ベルト部１８は、矩形形状に限らず、該ベルト部１８の側縁部分に凹凸を形成することで、より視認性を強調させることができる。更に、ベルト部１８のデザインとして、おむつサイズを表示させたり、キャンペーン表示させるだけでも、包装体１の演出を変更することもできる。
ベルト部１８は透明な素材から形成することができ、そうすることで、包装袋１１に描かれたデザイン（文字、絵）がベルト１８で被われたとしてもデザインの見映えを損なうことがない。
【００６７】
開封易切断手段３１の端部には、その切断を一層容易にするために、ノッチを設けてもよい。ノッチは、Ｖ字形でも線状（実質的に面積なし）でもよい。
頂部シール部１９は、頂部１７の上縁が２つ折りされたシート材料、例えば、小さな力で開封できる極めて薄いフィルム、方向性フィルムや紙から形成されている場合には、必ずしも必要はない。
【００６８】
包装袋１１に収納される収納物品１０は、使い捨ておむつに制限されず、生理用ナプキン等の各種吸収性物品でもよく、ロール状のトイレットベーパーでもよい。
収納物品１０は、圧縮された状態で集積されて包装袋１１に収納されることは必ずしも必要はなく、略直方体形状に集積されることも必ずしも必要ない。
また、収納物品１０は、圧縮状態で上下方向に集積されて包装袋１１に収納されてもよい。収納物品１０が上下方向に圧縮状態で収納されている場合では、開封易切断手段３１を切断することで上面部１５に開口部２２が形成され、収納物品１０の圧縮状態を開放させることができるので、収納物品１０を一枚ずつ容易に取り出すことができる。
【図面の簡単な説明】
【００６９】
【図１】図１は、本発明の第１実施形態の包装体を示す斜視図である。
【図２】図２は、図１に示す包装体について、上面部を持ち上げた状態を示す斜視図である。
【図３】図３（ａ）〜図３（ｄ）は、図１に示す包装体の一製造方法を示す斜視図である。
【図４】図４（ａ）〜図４（ｅ）は、図１に示す包装体の別の製造方法を示す斜視図である。
【図５】図５は、図１に示す包装体について、頂部を倒した状態を示す斜視図である。
【図６】図６は、図１に示す包装体について、把手部を形成した状態を示す斜視図である。
【図７】図７は、図１に示す包装体の開封手順を示す図で、（ａ）は部分的に開封した状態を示す斜視図、（ｂ）は完全に開封した状態を示す平面図、（ｃ）は完全に開封した状態を示す斜視図である。
【図８】図８は、図１に示す包装袋の一廃棄形態を示す図である。
【図９】図９は、頂部の形状の変形例を示す部分斜視図である。
【図１０】図１０（ａ）及び図１０（ｂ）は、それぞれ開封易切断手段の形状の変形例を示す部分斜視図である。
【図１１】図１１（ａ）〜図１１（ｃ）は、それぞれ開封易切断手段の形状の変形例を示す部分斜視図である。
【図１２】図１２（ａ）〜図１２（ｃ）は、それぞれ開封易切断手段の形状の変形例を示す部分斜視図である。
【図１３】図１３は、開封易切断手段の形状の変形例を示す部分斜視図である。
【図１４】図１４（ａ）〜図１４（ｅ）は、それぞれベルト部のベルト接合部の変形例を示す正面図である。
【図１５】図１５（ａ）及び図１５（ｂ）は、それぞれベルト部のベルト接合部の変形例を示す正面図である。
【図１６】図１６（ａ）及び図１６（ｂ）は、それぞれ開封易切断手段の形状の変形例を示す部分斜視図である。
【図１７】図１７（ａ）及び図１７（ｂ）は、それぞれ上面部の構造の変形例を示す部分斜視図である。
【図１８】図１８（ａ）及び図１８（ｂ）は、頂部へのベルト部の接合形態の変形例を示す図である。
【図１９】図１９（ａ）及び図１９（ｂ）は、頂部への裏打ちシートの接合形態を示す図である。
【図２０】図２０は、ベルト部の変形例を示す斜視図である。
【符号の説明】
【００７０】
１  包装体
１０  収納物品
１１  包装袋
１２  正面部
１３  背面部
１４  側面部
１５  上面部
１５ａ  上面部中央領域
１５ｂ  上面部平面領域
１６  底面部
１７  頂部
１８  ベルト部
１９  頂部シール部
２０  ベルト接合部
２２  開口部
３０  延設耳部
３１  開封切断断線
【図１】
0004738221.tif 000002
【図２】
0004738221.tif 000003
【図３】
0004738221.tif 000004
【図４】
0004738221.tif 000005
【図５】
0004738221.tif 000006
【図６】
0004738221.tif 000007
【図７】
0004738221.tif 000008
【図８】
0004738221.tif 000009
【図９】
0004738221.tif 000010
【図１０】
0004738221.tif 000011
【図１１】
0004738221.tif 000012
【図１２】
0004738221.tif 000013
【図１３】
0004738221.tif 000014
【図１４】
0004738221.tif 000015
【図１５】
0004738221.tif 000016
【図１６】
0004738221.tif 000017
【図１７】
0004738221.tif 000018
【図１８】
0004738221.tif 000019
【図１９】
0004738221.tif 000020
【図２０】
0004738221.tif 000021